【手続補正書】
【提出日】平成18年9月11日(2006.9.11)
【手続補正１】
【補正対象書類名】明細書
【補正対象項目名】特許請求の範囲
【補正方法】変更
【補正の内容】
【特許請求の範囲】
【請求項１】  陽極ガス入口、及び陽極ガス出口を有する陽極流通路と、陰極ガス入口、及び陰極ガス出口を有する陰極流通路と、前記陽極流通路、及び陰極流通路の間のイオン交換を容易にするため、前記陽極流通路、及び陰極流通路に連通する電解液とを含む燃料電池と、
酸素ガスに富むガスの流れを前記陰極流通路に送給するため、前記陰極ガス入口に連結され、供給されるガスの酸素を濃縮する回転圧力変動吸収システムを有する酸素ガス送給システムとを具えることを特徴とする電流発生システム。
【請求項２】  前記圧力変動吸収システムは供給する空気を、供給する第１ガスとして受け取る第１供給ガス入口と、前記陰極ガス入口に連結されたガス出口とを有する請求項１に記載の電流発生システム。
【請求項３】  前記酸素ガス送給システムは前記陰極流通路から排出される陰極ガスの第１部分を受け取るガス入口と、前記酸素ガスに富むガスの流れを前記陰極流通路に送給するガス出口とを有する請求項２に記載の電流発生システム。
【請求項４】  前記酸素ガス送給システムは前記陰極流通路から排出される陰極ガスの第１部分を前記陰極ガス入口に再循環させるため、前記陰極ガス出口に連結された第１ガス再循環手段を有する請求項１に記載の電流発生システム。
【請求項５】  加圧されている前記陰極排出ガスの前記第１部分を前記陰極ガス入口に供給する圧縮機を前記第１ガス再循環手段が具える請求項４に記載の電流発生システム。
【請求項６】  前記陰極排出ガスの前記第１部分から湿分を除去するため、前記陰極ガス出口と前記圧縮機との間に連結された凝縮水分離器を前記第１ガス再循環手段が有する請求項５に記載の電流発生システム。
【請求項７】  前記第１ガス再循環手段が前記陰極排出ガスの前記第１部分を供給ガスとして、前記回転圧力変動吸収システムに指向させるよう前記第１ガス再循環手段を構成した請求項６に記載の電流発生システム。
【請求項８】  前記回転圧力変動吸収システムは固定子、及びこの固定子に対し回転し得る回転子を有する回転モジュールを具え、複数個の流路内の増大する圧力に応動して、第１ガス成分を第２ガス成分に対して選択的に吸収するため、内部に吸収材料を収容するための複数個の流路を前記回転子に設け、更に前記圧力変動吸収システムは前記第１ガス成分を前記第２ガス成分から分離するよう、前記流路を通じてガスが流れるのを容易にするため、前記回転モジュールに連結された圧縮機械を具えている請求項７に記載の電流発生システム。
【請求項９】  前記固定子は第１固定子弁面と、第２固定子弁面と、前記第１固定子弁面内に開口する複数個の第１機能隔室と、前記第２固定子弁面内に開口する複数個の第２機能隔室とを有し、前記回転子は前記第１固定子弁面に連通する第１回転子弁面と、前記第２固定子弁面に連通する第２回転子弁面と、前記回転子弁面に設けられ、前記流路のそれぞれの端部、及び前記機能隔室に連通する複数個の孔とを有する請求項８に記載の電流発生システム。
【請求項１０】  前記機能隔室はガス供給隔室を有し、前記電流発生システムは前記陰極排出ガスの第２部分を前記ガス供給隔室に再循環させるため、前記陰極ガス出口に連結された第２ガス再循環手段を有する請求項９に記載の電流発生システム。
【請求項１１】  前記第２ガス再循環手段は制限オリフィスを具える請求項１０に記載の電流発生システム。
【請求項１２】  前記吸収材料はCa-X、Li-X、リチウム斜方沸石ゼオライト、カルシウム置換斜方沸石、及びストロンチウム置換斜方沸石のうちの１つである請求項８に記載の電流発生システム。
【請求項１３】  前記回転圧力変動吸収システムは酸素を濃縮し、供給される空気から二酸化炭素を除去するよう構成されている請求項１に記載の電流発生システム。
【請求項１４】  前記陽極ガス入口に連結された水素ガス送給システムを更に具え、この水素ガス送給システムは、供給されるガスの水素を濃縮する構成とした請求項１３に記載の電流発生システム。
【請求項１５】  陽極ガス入口、及び陽極ガス出口を有する陽極流通路と、陰極ガス入口、及び陰極ガス出口を有する陰極流通路と、前記陽極流通路、及び陰極流通路の間のイオン交換を容易にするため、前記陽極流通路、及び陰極流通路に連通する電解質とを含む燃料電池と、
酸素ガスに富むガスの流れを前記陰極流通路に送給するため、前記陰極ガス入口に連結された酸素ガス送給システムと、
供給されるガスの中の水素を濃縮するため、第１回転圧力変動吸収システムを有し、水素ガスに富むガスの流れを前記陽極流通路に送給するため、前記陽極ガス入口に連結された水素ガス送給システムとを具えることを特徴とする電流発生システム。
【請求項１６】  前記第１回転圧力変動吸収システムは水素ガスから成る供給される第１ガスを受け取る第１供給ガス入口と、前記陽極ガス入口に連結されたガス出口とを有する請求項１５に記載の電流発生システム。
【請求項１７】  前記水素ガス送給システムは前記陽極ガス出口から供給される第２ガスを受け取るガス入口と、水素ガスに富むガスの流れを前記陽極流通路に送給するガス出口とを有する請求項１６に記載の電流発生システム。
【請求項１８】  前記酸素ガス送給システムは空気から酸素ガスを抽出するため、第２回転圧縮変動吸収システムを具え、この第２回転圧力変動吸収システムは供給される空気を受け取る第１供給ガス入口と、前記陰極流通路に酸素ガスに富むガスの流れを供給するため、前記陰極ガス入口に連結されたガス出口とを有する請求項１５に記載の電流発生システム。
【請求項１９】  前記水素ガス送給システムは炭化水素燃料から前記第１ガスを発生するリアクタを具え、前記第１回転圧力変動吸収システムは前記リアクタに連結されていて、供給される第１ガス、及び第２ガスを受け取るよう構成された請求項１６に記載の電流発生システム。
【請求項２０】  前記酸素ガス送給システムは空気から酸素ガスを抽出するため第２回転圧力変動吸収システムを具え、この第２回転圧力変動吸収システムは供給される空気を受け取る第１供給ガス入口と、酸素ガスに富むガスの流れを前記陰極流通路に供給するため、前記陰極ガス入口に連結されたガス出口とを有し、前記リアクタは空気を受け取る第１バ−ナ入口と、供給される空気を加圧するため熱エネルギーを回収するようバ−ナ−内で受け取った水素ガスを燃焼させるため、前記第１回転圧力変動吸収システムから水素ガスに富むガスの流れを受け取る第２バ−ナ入口とを有するバ−ナを具える請求項１９に記載の電流発生システム。
【請求項２１】  陽極ガス入口、及び陽極ガス出口を有する陽極流通路と、陰極ガス入口、及び陰極ガス出口を有する陰極流通路と、前記陽極流通路、及び陰極流通路の間のイオン交換を容易にするため、前記陽極流通路、及び陰極流通路に連通する電解液とを有する燃料電池を設ける工程と、
前記陰極ガス入口に酸素ガスに富むガスの流れを供給する工程とを具え、
前記供給工程は酸素ガスに富む生成物ガスの流れを発生するよう第１ガスを回転圧力変動吸収装置に供給する工程と、前記生成物ガスの流れを前記陰極ガス入口に送給する工程とを具えることを特徴とする電位の発生方法。
【請求項２２】  前記供給工程は前記陰極ガス出口から排出された陰極ガスの一部を前記陰極ガス入口に再循環させる工程を更に具える請求項２１に記載の方法。
【請求項２３】  前記再循環工程は前記排出ガスの前記一部を、供給される第２ガスとして前記回転圧力変動吸収装置に送給する工程を具える請求項２２に記載の方法。
【請求項２４】  前記再循環工程は排出された前記陰極ガスの残部をパージする工程を更に具える請求項２３に記載の方法。
【請求項２５】  前記再循環工程は前記陰極ガスの前記一部を増大した圧力で前記陰極ガス入口に送給する工程を具える請求項２４に記載の方法。
【請求項２６】  前記再循環工程は前記回転圧力変動吸収装置からの膨張エネルギーの回収を増大させるため、前記燃料電池から廃熱を回収する工程を更に具える請求項２５に記載の方法。
【請求項２７】  陽極ガス入口、及び陽極ガス出口を有する陽極流通路と、陰極ガス入口、及び陰極ガス出口を有する陰極流通路と、前記陽極流通路、及び陰極流通路の間のイオン交換を容易にするため、前記陽極流通路、及び陰極流通路に連通する電解液とを有する燃料電池を設け、
水素ガスに富む第１生成物ガスの流れを発生するよう、回転水素圧力変動吸収装置に、送給される第１ガスを供給する工程と、前記第１生成物ガスの流れを前記陽極ガス入口に送給する工程とから成り、水素ガスに富む第１ガスの流れを前記陽極ガス入口に送給し、
酸素ガスに富む第２ガスの流れを前記陰極ガス入口に供給する工程から成る電位の発生方法。
【請求項２８】
第１回転圧力変動吸収システムには、二酸化炭素、または、一酸化炭素、または、二酸化炭素および一酸化炭素の双方を吸収する吸収剤を設けた請求項１５記載の電流発生システム。